(57)【特許請求の範囲】
【請求項１】
止水シート（２０）の背面側に設けられる背面板材（２）と、表面側に設けられる表面板材（１０）と、内部に設けられる弁膜体（１９）とを有し、背面板材（２）と表面板材（１０）とを止水シート（２０）を挟んで結合することで止水シート（２０）に取り付ける逆止弁において、
背面板材（２）は中央部分の通水孔（３）を有する通水部（４）と、その周囲を取り囲んで表側に突出するように形成されその内側に可撓性の弁膜体（１９）が装着される環状凸部（５）と、その周囲の鍔部（７）とを有し、
表面板材（１０）は、正面形状において背面板材（２）とほぼ同じ外形及び大きさを有し、外周の鍔部（１１）と、その内側にあって背面側に突出し前記背面板材（２）との結合状態において環状凸部（５）の外側に係合する環状突条（１２）と、表面板材（１０）の中央部分と下部において前記鍔部（１１）よりも表面側に膨出する膨出部（１５）と、環状突条（１２）の内側の空間から鍔部（１１）下部の表面側と膨出部（１５）下部との間の空間を経て表面側外部に連通する通水路（１３）と、環状突条（１２）の内側にあって前記弁膜体（１９）に背面から水圧がかかったときに弁膜体（１９）の一部が表面側に変位するのを制限するように表面側に突出する突出部（１４）とを有し、
止水シート（２０）を挟んだときに背面板材（２）と表面板材（１０）の鍔部（７）、（１１）で止水シート（２０）を挟持して止水シート（２０）に固定され、
表面側から水圧がかかったときには前記弁膜体（１９）が水圧により通水部（４）に圧接して水が背面側に流れるのを防止し、背面側から水圧がかかったときには弁膜体（１９）の一部が通水部（４）から離れるように変形して水が前記通水部（４）から通水路（１３）を経て表側に流れることを特徴とする止水シート用逆止弁
【請求項２】
請求項１の逆止弁において、前記背面板材（２）の環状凸部（５）の下部に、通水部（４）から内部に進入した水を前記表面板材（１０）の通水路（１３）に導く導水溝（６）を設けたことを特徴とする逆止弁
【請求項３】
請求項２の逆止弁において、前記背面板材（２）の環状凸部（５）の外周に突起（８）を設けると共に、前記表面板材（１０）の環状突条（１２）に切欠部（１７）を設け、背面板材（２）と表面板材（１０）とを結合したときにこの突起（８）と切欠部（１７）とが係合して位置決めされることを特徴とする止水シート用逆止弁
【請求項４】
止水シート（２０）の背面側に設けられる背面板材（２）と、表面側に設けられる表面板材（１０）と、内部に設けられる弁膜体（１９）とを有し、背面板材（２）と表面板材（１０）とを止水シート（２０）を挟んで結合することで止水シート（２０）に取り付ける逆止弁において、
背面板材（２）は中央部分の通水孔（３）を有する通水部（４）と、その周囲を取り囲んで表側に突出するように形成されその内側に可撓性の弁膜体（１９）が装着される環状凸部（５）と、その周囲の鍔部（７）とを有し、
表面板材（１０）は、正面形状において背面板材（２）とほぼ同じ外形及び大きさを有し、外周の鍔部（１１）と、その内側にあって背面側に突出し前記背面板材（２）との結合状態において環状凸部（５）の外側に係合する環状突条（１２）と、環状突条（１２）の内側の空間から鍔部（１１）下部の表面側を経て表面側外部に連通する通水路（１３）と、環状突条（１２）の内側にあって前記弁膜体（１９）に背面から水圧がかかったときに弁膜体（１９）の一部が表面側に変位するのを制限するように表面側に突出する突出部（１４）と、環状突条１２の内側部分に設けられた微小な空気孔１８とを有し、
止水シート（２０）を挟んだときに背面板材（２）と表面板材（１０）の鍔部（７）、（１１）で止水シート（２０）を挟持して止水シート（２０）に固定され、
表面側から水圧がかかったときには前記弁膜体（１９）が水圧により通水部（４）に圧接して水が背面側に流れるのを防止し、背面側から水圧がかかったときには弁膜体（１９）の一部が通水部（４）から離れるように変形して水が前記通水部（４）から通水路（１３）を経て表側に流れることを特徴とする止水シート用逆止弁
【発明の詳細な説明】
【０００１】
【発明が属する技術分野】
本発明は護岸や堤防の止水工事に利用される止水シートに取り付けられる逆止弁に関する。
【０００２】
【従来の技術】
海岸や湖沼の周囲の護岸、河川の堤防などには水が地山にしみ込み地山が軟弱化するのを防ぐために地山の表面に止水シートが施工される。一方、降雨などで地山側の地下水位が上昇したときには、やはり地山の軟弱化を防ぐために地山側の水が表面側に排水されることが求められる。このため、止水シートには、表面側から背面の地山方向へは水を通さず、反対に背面の地山側から表面側へは水を通す逆止弁が取り付けられる。
【０００３】
この種の従来の逆止弁は、例えば実開平３−４４２７８号、実開平３−４４２７９号、特開平３−１７２４０７号公報などに開示されている。従来のこの種の逆止弁は、止水シートの背面側に設けられる背面板材と表面側に設けられる表面板材とで止水シートを挟んで結合するものである。
【０００４】
【発明が解決しようとする課題】
従来のこの種の逆止弁は次のような問題点を有していた。
▲１▼  逆止弁の内部に土砂が侵入し目詰まりを起こしやすい。
従来の逆止弁は、正面板部の中心付近、又は、正面板部の上部に水を通す通水路を有していたので、これら通水路から土砂が逆止弁内部に侵入し、目詰まりを起こして排水機能を低下させていた。
▲２▼  弁膜体の取り付けが面倒であった。
逆止弁には弁膜体が取り付けられるが、従来はボルトなどの固定手段を用いて弁膜体を取り付けなければならなかったので、組み立てが面倒であった。ボルトなどで弁膜体の一部を固定しない場合には、弁膜体の作用が不完全で、表面側から背面側に水を通してしまう可能性があった。
【０００５】
本発明は、目詰まりを起こさず、弁膜体の取り付けが簡単で、かつ、弁膜体の機能が安定していて表面側から背面側に水を通してしまうことがない逆止弁を提案するものである。
【０００６】
【課題を解決するための手段】
本発明は、止水シートの背面側に設けられる背面板材と、表面側に設けられる表面板材と、内部に設けられる弁膜体とを有し、背面板材と表面板材とを止水シートを挟んで結合することで止水シートに取り付ける逆止弁において、背面板材２は中央部分の通水孔３を有する通水部４と、その周囲を取り囲んで表側に突出するように形成されその内側に可撓性の弁膜体１９が装着される環状凸部５と、その周囲の鍔部７とを有し、表面板材１０は、正面形状において背面板材２とほぼ同じ外形及び大きさを有し、外周の鍔部１１と、その内側にあって背面側に突出し前記背面板材２との結合状態において環状凸部５の外側に係合する環状突条１２と、表面板材１０の中央部分と下部において前記鍔部１１よりも表面側に膨出する膨出部１５と、環状突条１２の内側の空間から鍔部１１下部の表面側と膨出部１５下部との間の空間を経て表面側外部に連通する通水路１３と、環状突条１２の内側にあって前記弁膜体１９に背面から水圧がかかったときに弁膜体１９の一部が表面側に変位するのを制限するように表面側に突出する突出部１４とを有し、止水シート２０を挟んだときに背面板材２と表面板材１０の鍔部７、１１で止水シート２０を挟持して止水シート２０に固定され、表面側から水圧がかかったときには前記弁膜体１９が水圧により通水部４に圧接して水が背面側に流れるのを防止し、背面側から水圧がかかったときには弁膜体１９の一部が通水部４から離れるように変形して水が前記通水部４から通水路１３を経て表側に流れることを特徴とする止水シート用逆止弁である。
【０００７】
本発明の逆止弁は、表面側の通水路１３が逆止弁の下部に設けられ、下向きの開口となっているから、ここから逆止弁内部に土砂が侵入することがなく、逆止弁が目詰まりを起こして排水機能を低下させることがない。
【０００８】
また、本発明の逆止弁においては、環状突条１２の内側にあって、弁膜体１９に背面から水圧がかかったときに弁膜体１９の一部が表面側に変位するのを制限するように表面側に突出する突出部１４を設けたので、弁膜体を取り付けるときにボルトで固定する必要がないから弁の組み立てが簡単であり、しかも、これにより確実に弁膜体の一部が変位するのを制限するから、弁膜体１９の機能が不完全となることがなく、表面側から水圧がかかったときに確実に水の通過が遮断される。
【０００９】
本発明の逆止弁には、背面板材２の環状凸部５の下部に、通水部４から内部に進入した水を表面板材１０の通水路１３に導く導水溝６を設けることができる。導水溝６を設けると、通水部４から進入した水を効率よく通水路１３に導くことができる。
【００１０】
上記のように導水溝６を設けた場合、背面板材２の環状凸部５の外周に突起８を設けると共に、前記表面板材１０の環状突条１２に切欠部１７を設け、背面板材２と表面板材１０とを結合したときにこの突起８と切欠部１７とが係合して位置決めされるように構成することが望ましい。これにより、背面板材２と表面板材１０を結合するときに、導水溝６及び通水路１３が所定の位置関係（双方とも逆止弁の下部に位置しなければならない）となることが保証される。
【００１１】
本発明逆止弁には、表面板材１０の環状突条１２の内側部分に微小な空気孔１８を設けることができる。空気孔１８を設けると、水位が上昇したときに、逆止弁内部の空気が空気孔１８から外に逃げることができるから、浮力により逆止弁が止水シートから離脱するのを防止することができる。空気孔１８は、弁内部に土砂が侵入しない程度の微小なものとする。
【００１２】
【発明の実施の形態】
以下、実施例を表した図面に基づいて本発明を詳細に説明する。図１は表面板材１０の表面側から見た正面図、図２は図１におけるＡＡ線断面図、図３は表面板材１０の背面図、図４は表面板材１０の下面図、図５は表面板材１０の側面図、図６は図５におけるＢＢ線断面図、図７は背面板材２の背面側から見た背面図、図８は背面板材の正面図、図９は図８におけるＣＣ線断面図、図１０は逆止弁１の取り付け状態の断面図である。
【００１３】
実施例の逆止弁１は、図１０に示されるように、表面板材２、背面板材１０及び可撓性の弁膜体１９からなる。
【００１４】
背面板材２は、プラスチックで一体成形されたもので、図７〜９に示すように、中央部分が多数の通水孔３を有する通水部４となっている。その周囲を取り囲んで表側に突出するように環状凸部５が形成されている。その内側には、図１０に示すように、可撓性の弁膜体１９（軟質プラスチック製）が装着される。環状凸部５の下部には、通水部４から内部に進入した水を表面板材１０の通水路１３に導く導水溝６が形成されている。また、環状突条５には、３個のボルト穴９が形成されている。ボルト穴９は内部に螺条が形成されており、表面板材１０と結合したときに双方の板材２、１０を固定するボルト２１を螺着するためのものである。環状凸部５の周囲は鍔部７となっている。環状凸部５の外周部には１個の突起８が形成されている。
【００１５】
表面板材１０は、プラスチックで一体成形されたもので、正面形状において背面板材２とほぼ同じ外形及び大きさを有する。図１〜６に示すように、外周は鍔部１１となっており、その内側には背面側に突出する環状突条１２が形成されている。図１０に示すように、環状突条１２は背面板材２との結合状態において環状凸部５の外側に係合する。また、環状突条１２には１個の切欠部１７が形成されており、背面板材２との結合状態において、環状凸部５の突起８が切欠部１７に係合するので、背面板材２と表面板材１０との結合が常に正しい位置関係で行われる。表面板材１０の中央部分と下部は鍔部１１よりも表面側に膨出する膨出部１５となっており、その分内部の空間が表面側に広く形成されている。膨出部１５の下部と鍔部１１の下部で挟まれた空間が通水路１３となっており、通水路１３は環状突条１２の内側の空間から鍔部１１下部の表面側（と膨出部１５下部との間の空間）を経て外部に連通する。環状突条１２の内側の部分から表面側に突出して突出部１４が形成されている。環状突条１２は、弁膜体１９に背面から水圧がかかったときに弁膜体１９の一部が表面側に変位するのを制限するものである。また、環状突条１２の内側には３カ所のボルト孔１６が貫通している。
【００１６】
背面板材２と表面板材１０とは、図１０に示すように、止水シート２０の両側から結合される。止水シート２０には、環状突条１２が入る穴が開けられており、この穴に背面側から背面板材２の環状凸部５を入れ、表面側から表面板材１０の環状突条１２を入れ、環状凸部の外側に環状突条１２を係合する。その後、ボルト２１をボルト孔１６から差し込み、ボルト穴９に螺着して双方の板材２、１０を固定する。双方の板材２、１０で止水シート２０を挟んだときに双方の板材のの鍔部７、１１が止水シート２０を挟持するので、逆止弁１は止水シート２０に固定される。
【００１７】
弁膜体１９は、図１０に示すように、環状凸部５の内側に装着され、突出部１４によって一部が表面側に変位するのを制限されている。表面側から水圧が作用すると、水は通水路から逆止弁１の内側に入り込み、表面側から背面側に向かって弁膜体１９を押圧するので、弁膜体１９は通水部４に押しつけられる。したがって、通水部４の通水孔３は弁膜体１９によって塞がれ、水が背面側に漏れることがない。背面側から水圧が作用すると、弁膜体１９は、図１０に破線で示すように、その周囲部分が表面側方向に変形し、通水孔３から水が逆止弁１内に進入する。進入した水は、導水溝６から通水路１３を経て表面側の外部に流れ出る。
【００１８】
弁膜体１９の一部は、突出部１４により常に背面側に位置しているので、常に逆止弁１の内部の所定の位置に留まり、弁としての機能を確実に果たすことができる。
【００１９】
この実施例は本発明の１例であって、特許請求の範囲に記載されていない各部の形状などは変更することができる。例えば、板材２、１０の正面形状は必ずしも円形状でなくても良く四辺形や多角形などとすることができるし、通水孔の形状や数は実施例に限るものではなく、突出部１４は複数個設けるなどしても良い。また、鍔部７、１１は必ずしも板材の全周に設けられている必要はない。
【００２０】
【発明の効果】
本発明の逆止弁は、簡単な構造で、組み立てや止水シートへの取り付けも容易である。内部に土砂が侵入しないので目詰まりを起こすことがなく、確実に背面側の水を排水できる。また、弁膜体が安定して機能するので、表面側の水が背面側に漏れることがない。さらに、表面板材に空気孔を設けることで、浮力の発生を防止し、浮力による止水シートからの脱落を防止できる。
【図面の簡単な説明】
【図１】表面板材１０の表面側から見た正面図である。
【図２】図１におけるＡＡ線断面図である。
【図３】表面板材１０の背面図である。
【図４】表面板材１０の下面図である。
【図５】表面板材１０の側面図である。
【図６】図５におけるＢＢ線断面図である。
【図７】背面板材２の背面側から見た背面図である。
【図８】背面板材の正面図である。
【図９】図８におけるＣＣ線断面図である。
【図１０】逆止弁１の止水シート２０への取り付け状態の断面図である。
【符号の説明】
１  逆止弁
２  背面板材
３  通水孔
４  通水部
５  環状凸部
６  導水溝
７  鍔部
８  突起
９  ボルト穴
１０  表面板材
１１  鍔部
１２  環状突条
１３  通水路
１４  突出部
１５  膨出部
１６  ボルト孔
１７  切欠部
１８  空気孔
１９  弁膜体
２０  止水シート
【図１】
0004286383.tif 000002
【図２】
0004286383.tif 000003
【図３】
0004286383.tif 000004
【図４】
0004286383.tif 000005
【図５】
0004286383.tif 000006
【図６】
0004286383.tif 000007
【図７】
0004286383.tif 000008
【図８】
0004286383.tif 000009
【図９】
0004286383.tif 000010
【図１０】
0004286383.tif 000011